(57)【要約】【課題】本発明は自動ラップフィルム引き出し機を提供する。【解決手段】収納室２０内の上方部両側に、ラップフィルム１０が捲装されたラップフィルムローラを保持するための位置決め保持部２１が形成された筐体２と、前記筐体２の下方部に設けられ、前記ラップフィルム１０を引き出すための少なくとも１個のエンドレスベルト３０が設けられたラップイルム送出装置３と、前記ラップイルム送出装置３の正面側に設置され、前記引き出されたラップフィルム１０を横長手方向に切断する切断刃４２１を有するカッター機構４を備えた構成とした。また、引き出し送出されたラップフイルムは分離部３３の突隆部によって確実に分離され切断されたラップフィルムが、平坦状態を保持され、使用上極めて安全且つ便利である。【選択図】図２
2009040525.tif 000002
【特許請求の範囲】
【請求項１】
収納室内の上方部両側に、ラップフィルムが捲装されたラップフィルムローラを保持するための位置決め保持部が形成された筐体と、
前記筐体の下方部に設けられ、前記ラップフィルムを引き出すための少なくとも１個のエンドレスベルトが設けられたラップフィルム送出装置と、
前記ラップフィルム送出装置の正面側に設置され、前記引き出されたラップフィルムを横長手方向に切断する切断刃を有するカッター機構を備えたことを特徴とする自動ラップフィルム引き出し機。
【請求項２】
前記筐体内には、前記ラップフィルムローラの下方に平行に配設した補助回転棒が設けられると共に、前記筐体の上部には開閉可能な上方蓋が設けられていることを特徴とする請求項１に記載の自動ラップフィルム引き出し機。
【請求項３】
前記筐体に配設された前記ラップフィルム送出装置の一側面に、前記エンドレスベルトを駆動する駆動ユニットが配設され、該駆動ユニットには前記エンドレスベルトを駆動するモータと、前記モータを起動する切り替えスイッチと前記カッター機構を始動する押しボタンが設けられ、さらに、前記ラップフィルム送出装置には、エンドレスベルトに近接して、ラップフィルム分離部が設けられると共に、前記エンドレスベルトの表面には前記切断刃の非接触の移行を可能とした筋状溝が形成されることを特徴とする請求項１に記載の自動ラップフィルム引き出し機。
【発明の詳細な説明】
【技術分野】
【０００１】
本発明は、自動ラップフィルム引き出し機に関し、特に、収納室を有する筐体と、収納室の両側に、ラップフィルムを捲装したラップフィルムローラを保持する位置決め保持部と、筐体内の下方部に配設される少なくとも１個のエンドレスベルトを有し、前記捲装したラップフィルムの一端を引き出し送出するラップフィルム送出装置と、該ラップフィルム送出装置の外方側に設けられ、前記引き出されたラップフィルムを長手軸方向に切断するためのカッター機構とが設けられ、自動的に送出された引き出しラップフィルムを切断可能とし、且つ引き出されたラップフィルムが捩れなど乱れることを防止して、ユーザーが便利に利用できしかも安全性に優れた自動ラップフィルム引き出し機を提供する。
【背景技術】
【０００２】
一般の家庭において、筒体に捲装したラップフィルムを捲装状態から剥がして引き出し、食べ物の外表面や食器（例えば、食べ物の椀や皿及び什器等）の上面を覆って、食べ物に空気中の埃が付着したり、不潔なものが落ち込んだり、蝿や虫などにより汚染されることを防止している。また、食品（特に、野菜や果物等の食べ物）を冷蔵庫に収納する場合には、ラップフィルムで覆って収納することで、脱水乾燥を防止できる。更に、ラップフィルムは、マイクロウェブにおける食品の料理において蒸し或いはクッキングする時、封止や保温のために利用することができ、食べ物の貯蔵や料理に不可欠のものとなっている。
【発明の開示】
【発明が解決しようとする課題】
【０００３】
一般的な、既存のラップフィルムは、図１のように、筒体に捲装されたラップフィルム１０を長尺状の箱体１１に設置し、前記箱体１１の側壁上端部と開口蓋１２の一側に設けた隙間状の取出口より引き出すようにしている。
また、前記取出口の端縁には、ジグザグ状の切断部１３が設けてあり、使用時、図１に示すようにラップフィルム１０を、長尺状の箱体１１から所定の長さを引っ張り出し、一方の手で開口蓋１２を押して、他方の手でラップフィルム１０の端部に逆方向の力を印加することにより、該切断部１３で該ラップフィルム１０を切断するようにしている。
【０００４】
しかるに、このような従来のラップフィルム１０を切断する時、ユーザーが、長尺状の箱体１１に沿って押さえる箇所を移動せず、開口蓋１２の一箇所のみを押さえるため、ラップフィルム１０を長手方向に沿って容易に切断できず、切断しても幅が均一ではなかったり、ラップフィルムが絡み合ったり、変形状態になったりして、使用上、非常に不便である。
【０００５】
また、従来のラップフィルムの長尺状の箱体１１は、そのジグザグ状の切断部１３が、長尺状の箱体１１の外面側に設置されているため、ユーザーが、ラップフィルム１０を切断する時にちょっとした不注意で鋭いジグザグにより負傷することが多いため、従来のラップフィルムは、使用上の安全性に改善すべきところがある。
【０００６】
本発明の主な目的は、ラップフィルムの交換が迅速にでき、ラップ引き出し操作が自動で行い得るようにした自動ラップフィルム引き出し機を提供する。
本発明の他の目的は、ラップフィルムを自動的に所定の長さ引き出した後、自動的に切断でき、また、切断した後、ラップフィルムを引き伸ばした平坦状態に保持でき、使用が非常に便利でかつ安全性に優れた自動切断機能を備えた自動ラップフィルム引き出し機を提供する。
【課題を解決するための手段】
【０００７】
請求項１の発明に係る自動ラップフィルム引き出し機は、収納室内の上方部両側に、ラップフィルムが捲装されたラップフィルムローラを保持するための位置決め保持部が形成された筐体と、前記筐体の下方部に設けられ、前記ラップフィルムを引き出すための少なくとも１個のエンドレスベルトが設けられたラップフィルム送出装置と、前記ラップフィルム送出装置の正面側に設置され、前記引き出されたラップフィルムを横長手方向に切断する切断刃を有するカッター機構を備えたことを特徴とする。
【０００８】
請求項２の発明は、請求項１に記載の自動ラップフィルム引き出し機において、前記筐体内には、前記ラップフィルムローラの下方に平行に配設した補助回転棒が設けられると共に、前記筐体の上部には開閉可能な上方蓋が設けられていることを特徴とする。
【０００９】
請求項３の発明は、請求項１に記載の自動ラップフィルム引き出し機において、前記筐体に配設された前記ラップフィルム送出装置の一側面に、前記エンドレスベルトを駆動する駆動ユニットが配設され、該駆動ユニットには前記エンドレスベルトを駆動するモータと、前記モータを起動する切り替えスイッチと前記カッター機構を始動する押しボタンが設けられ、さらに、前記ラップフィルム送出装置には、エンドレスベルトに近接して、ラップフィルム分離部が設けられると共に、前記エンドレスベルトの表面には前記切断刃の非接触の移行を可能とした筋状溝が形成されていることを特徴とする。
【発明の効果】
【００１０】
本発明は、前記ラップフィルムを引き出すための少なくとも１個のエンドレスベルトが設けられたラップフィルム送出装置と、前記ラップフィルム送出装置の正面側に設置され、前記引き出されたラップフィルムを横長手方向に切断する切断刃を有するカッター機構を備えた構成としたので、ラップフィルムを自動的に長手方向に沿って容易に切断でき、切断した幅を均一とすることが可能であり、引き出したラップフィルムが絡み合ったり、変形状態になったりすることがなく、使用上、非常に便利である。
また、ラップフィルムの切断時、従来はちょっとした不注意により負傷することがあったが、切断を自動的に行なうようにしたので、使用上の安全性が向上できた。
【発明を実施するための最良の形態】
【００１１】
以下、図面を参照して、本発明の自動ラップフィルム引き出し機の実施例を詳細に説明する。
【実施例】
【００１２】
図２〜５は、本発明の自動ラップフィルム引き出し機の実施例を示すもので、本発明の自動ラップフィルム引き出し機は、ラップフィルム１０が捲装されたラップフィルムローラと、前記ローラの両端部を内部両側に保持するための位置決め保持部２１が設けられた収納室２０と、前記ラップフィルム１０を引き出す際の引き出し案内補助として、前記ラップフィルム１０の長手方向に下側に平行に配設された補助回転棒２２と、前記ラップフィルム１０の交換時に開放可能となる上方蓋２３とを備えた筺体２とからなり、前記筺体２の前方側の下方部には、前記引き出された前記ラップフィルム１０を外部に送出するラップフィルム送出装置３が配設されている。
【００１３】
前記ラップフィルム送出装置３は、所定の間隔で離間して配設された上，下部一対の伝動軸３１と、前記上下一対の伝動軸３１間に配設された前記ラップフィルム１０の送出を行なうエンドレスベルト３０と、前記エンドレスベルト３０に接合した前記ラップフィルム１０を前記エンドレスベルト３０表面より分離する分離板３３と、前記エンドレスベルト３０を駆動する駆動ユニット３２とからなる。
【００１４】
また、前記エンドレスベルト３０の表面および裏面には、長手方向に沿う凹凸の筋条溝３００が形成されている。前記上，下部伝動軸３１，３１のそれぞれの外周面には、前記エンドレスベルト３０の裏面側に形成した筋条溝３００と係合する凹凸部が形成され、エンドレスベルト３０のすべりを防止する構成となっている。
【００１５】
また、前記上部伝動軸３１の右側端は、前記筐体２の右側の側壁に配設された駆動ユニット３２に配設されたシンクロナスモータ（同期モータ）３２０の出力軸３２１と連結されて駆動されるようになっている。
即ち、前記駆動ユニット３２には、シンクロナスモータ３２０が設置され、該シンクロナスモータ３２０の出力軸３２１で前記上部伝動軸３１を回転するように駆動することにより、前記エンドレスベルト３０を時計周り方向に駆動する。また、駆動ユニット３２には、切り替えスイッチ３２２と押しボタン３２３とが設置されている。
【００１６】
また、前記ラップフィルム送出装置３において、前記エンドレスベルト３０は長手左右方向に３分割して並列状態に配設されており、前記分割間の少なくとも１箇所には、底端部が外方へ向かって膨らんで、前記エンドレスベルト３０の表面位置より外方に突出する突隆部を有する分離板３３が設けられ、これにより、引き出されたラップフィルム１０が、前記エンドレスベルト３０の表面から分離され、ユーザーが便利に取り出すことができるようになっている。
【００１７】
前記ラップフィルム送出装置３の正面側には、電源線により駆動ユニット３２の押しボタン３２３に接続され、該押しボタン３２３により制御される駆動モータ４０と、駆動モータ４０の外側に設置された駆動歯車４００と、一端に駆動モータ４０の駆動歯車４００に噛み合うピニオン４１０が設けられるネジ杆４１と、一側に、前記エンドレスベルト３０の表面に対応して前記ラップフィルム１０を切断する切断刃４２１が固定され、ネジ杆４１上の螺条に沿って左横方向に往復移動する切断刃用固定座４２とを備え、前記切断刃４２１の左横方向移動によって前記ラップフィルム１０の長手方向を切断して切り離しするカッター機構４（図３を参照）が設けられている。
【００１８】
使用時にあっては、図２、３、５、６のように、まず、筐体２の上方蓋２３を開放し、収納室２０の位置決め保持部２１に捲装したラップフィルム１０を保持し、ラップフィルム１０の先端を補助回転棒２２の下側から回して、ラップフィルム１０の一端が、エンドレスベルト３０の表面に張り付くようにする。  
【００１９】
その後、駆動ユニット３２上の切り替えスイッチ３２２を押して電源を投入し、待機状態とする。そして、スイッチ３２２を押し続けることにより、シンクロナスモータ３２０を起動して、これにより、駆動軸３２１により伝動軸３１が回転して、エンドレスベルト３０を時計周りに駆動する。該エンドレスベルト３０の表面に張り付いたラップフィルム１０が続いて引っ張り出され、引き出されたラップフィルム１０が、底端の膨らむ分離部３３により、エンドレスベルト３０の表面から分離されるようになるので、ユーザーはこの分離した端部を掴み、自分が必要とする所定長さまでラップフィルム１０を引っ張り出した時点で、スイッチ３２２の押圧を解除することにより、シンクロナスモータ３２０の作動を一時的に停止する。
【００２０】
同時に、押しボタン３２３を押圧することによりカッター機構４の駆動モータ４０を起動すると、駆動歯車４００に噛み合うネジ杆４１のピニオン４１０が回転し、回転するネジ杆４１により、切断刃用固定座４２が、ネジ杆４１上の螺条に沿って、もう一端部へ向かって横方向に移動する。
即ち、切断刃４２１が、前記エンドレスベルト３０上のラップフィルム１０を切断し、同時に、切断刃４２１が、エンドレスベルト３０の表面に位置する筋条溝３００に沿って移動する。これにより、切断刃４２１によりエンドレスベルト３０の表面に傷つくことを防止でき、切断した後も、ラップフィルム１０の平坦状態を保持できる（図６参照）。
【００２１】
このように、切断された後のラップフィルム１０の端部が外部に露出したまま平坦状態で保持されることにより、次回使用時に、ユーザーはラップフィルムを容易に取り出すことができるようになり、これにより、安全且つ自動的に切断できる自動ラップフィルム引き出し機が構成される。
また、自動ラップフィルム引き出し機は、使い勝手がよいように机の上や壁に設置して使用できる。
【００２２】
新規のラップフィルム１０を設置する場合には、図２と図５のように、筐体２の上方蓋２３を開いて、使用済みのラップフィルムローラを取り出してから、新規のラップフィルム１０を位置決め保持部２１に設置し、更に、ラップフィルム１０を、補助回転棒２２を回すようにして、ラップフィルム１０の一端をエンドレスベルト３０に貼り付けて、上記の説明のように使用できる。
【図面の簡単な説明】
【００２３】
【図１】従来のラップフィルムの使用状態を示す参考図。
【図２】本発明の自動ラップフィルム引き出し機の第１実施例を示す分解斜視図。
【図３】本発明の本発明の自動ラップフィルム引き出し機の第１実施例を示す組み立て状態の側断面図。
【図４】本発明に本発明の自動ラップフィルム引き出し機の第１実施例を示す駆動ユニットとカッター機構の組み立ての構造参考図。
【図５】本発明の本発明の自動ラップフィルム引き出し機の第１実施例を示す組立て状態の全体斜視図。
【図６】本発明の本発明の自動ラップフィルム引き出し機の第１実施例を示す使用状態を参考斜視図。
【符号の説明】
【００２４】
１０      ラップフィルム
１１      長尺状箱
１２      開放蓋
１３      切断部
２        筐体
２０      収納室
２１      位置決め保持部
２２      補助回転棒
２３      上方蓋
３        ラップフィルム送出装置
３０      エンドレスベルト
３００    筋条溝
３１      伝動軸
３２      駆動ユニット
３２０    シンクロナスモータ
３２１    駆動軸
３２２    切り替えスイッチ
３２３    押しボタン
３３      分離部
４        カッター機構
４０      駆動ユニット
４１      ネジ杆
４１０    ピニオン
４２      切断刃用固定座
４２１    切断刃
【図１】
2009040525.tif 000003
【図２】
2009040525.tif 000004
【図３】
2009040525.tif 000005
【図４】
2009040525.tif 000006
【図５】
2009040525.tif 000007
【図６】
2009040525.tif 000008